(57)【要約】【課題】  患者を和ませることができる医療用装飾物を提供する。【解決手段】本実施形態における医療用装飾物１は、患者の注目を引く装飾部１４と、装飾部１４を医療用器具の棒状部材の周囲に取り付けるための取付部材であって、伸縮性を有する部材を形成されたリング状取付部１２とを含み構成され、リング状取付部１２と装飾部１４とが一体的に形成されている。リング状取付部１２は、リング形状を有し、リング径を伸縮自在に構成されている。【選択図】図１
0003204627.tif 000002
【実用新案登録請求の範囲】
【請求項１】
患者の注目を引く被注目形状部材と、
前記被注目形状部材を棒状部材の周囲に取り付けるための取付部材であって、伸縮性を有する部材を形成された取付部材と
を有する医療用装飾物。
【請求項２】
前記取付部材は、リング形状を有し、リング径を伸縮自在に構成され、
前記被注目形状部材は、前記リング形状の取付部材の外周面に配置されている
請求項１に記載の医療用装飾物。
【請求項３】
前記被注目形状部材及び前記取付部材は、伸縮性があり、かつ、少なくとも１５０℃の耐熱性を有する樹脂によって一体的に形成されている
請求項２に記載の医療用装飾物。
【考案の詳細な説明】
【技術分野】
【０００１】
本考案は、医療用装飾物に関するものである。
【背景技術】
【０００２】
例えば、特許文献１には、歯科用麻酔注射器に着脱自在に装着する麻酔用誘導具であって、注射器の外側面に着脱自在に装着するカバー体を設け、このカバー体を小児誘導用の玩具状に形成したことを特徴とする小児用歯科麻酔器誘導具が開示されている。
【０００３】
また、特許文献２には、歯科用治療台において、うがいを行うスピツトンの周囲を絵図貼り絵等を施したプラスチック材等で装飾する歯科用スピツトン装飾用器具が開示されている。
【先行技術文献】
【特許文献】
【０００４】
【特許文献１】特開２００１−１９０５７６号公報
【特許文献２】実開平３−１２２８２９号公報
【考案の概要】
【考案が解決しようとする課題】
【０００５】
本考案は、患者を和ませることができる医療用装飾物を提供することを目的とする。
【課題を解決するための手段】
【０００６】
本考案に係る医療用装飾物は、患者の注目を引く被注目形状部材と、前記被注目形状部材を棒状部材の周囲に取り付けるための取付部材であって、伸縮性を有する部材を形成された取付部材とを有する。
【０００７】
好適には、前記取付部材は、リング形状を有し、リング径を伸縮自在に構成され、前記被注目形状部材は、前記リング形状の取付部材の外周面に配置されている。
【０００８】
好適には、前記被注目形状部材及び前記取付部材は、伸縮性があり、かつ、少なくとも１５０℃の耐熱性を有する樹脂によって一体的に形成されている。
【考案の効果】
【０００９】
本考案によれば、患者を和ませることができる。
【図面の簡単な説明】
【００１０】
【図１】実施例における医療用装飾物１の構成を説明する斜視図である。
【図２】図１に例示する医療用装飾物１の六面図である。
【図３】実施例における医療用装飾物１の使用例を説明する斜視図ある。
【考案を実施するための形態】
【００１１】
以下、本考案に係る実施形態を、図面を参照して説明する。ただし、本考案の範囲は、図示例に限定されるものではない。
［実施例］
まず、実施例の医療用装飾物１の構成を説明する。
図１は、実施例における医療用装飾物１の構成を説明する斜視図である。
また、図２は、図１に例示する医療用装飾物１の六面図であり、図２（Ａ）は正面図、図２（Ｂ）は背面図、図２（Ｃ）は平面図、図２（Ｄ）は底面図、及び、図２（Ｅ）は右側面図である。なお、左側面図は、右側面図と対称につき省略する。
図１及び図２に例示するように、医療用装飾物１は、リング状取付部１２と、装飾部１４とを含み構成されており、リング状取付部１２と装飾部１４とが一体的に形成されている。医療用装飾物１は、例えば、歯科口腔内治療に使用する医療用器具であるシリンジ、又は、バキュームに取り付けて使用される。
医療用装飾物１は、少なくとも１５０℃の耐熱性を有する樹脂で形成されている。本実施例の医療用装飾物１は、耐熱性を有する樹脂として、例えば、シリコーン樹脂であり、具体的にはシリコーンゴムで構成されている。医療用装飾物１は、少なくとも１５０℃の耐熱性を有するため、例えば１３０℃〜１３５℃のオートクレーブで滅菌処理を行うことができる。
【００１２】
（リング状取付部１２）
図１及び図２に例示するように、リング状取付部１２は、歯科口腔内治療に使用する医療用器具の棒状部材の周囲に取り付けるための取付部材であり、伸縮性の有する部材によってリング形状に形成されている。また、リング状取付部１２は、耐熱性を有する樹脂によって構成されている。リング状取付部１２は、伸縮性と耐熱性とを有する部材として、具体的にはシリコーンゴムによって構成されている。リング状取付部１２は、シリコーンゴムによって構成されているため、リング径を伸縮自在に変えることができる。リング状取付部１２は、例えば１．５倍〜１．８倍の大きさのリング内径となるよう引き延ばすことができ、本実施例のリング状取付部１２は、約１．６倍〜約１．７倍の大きさのリング内径となるよう引き延ばすことができる。
また、リング状取付部１２は、リング状取付部１２の外周面に装飾部１４を配置され一体的に形成されている。
なお、リング状取付部１２は、本考案に係る取付部材の一例である。
【００１３】
（装飾部１４）
図１及び図２に例示するように、装飾部１４は、患者の注目を引く形状に形成された装飾部材である。装飾部１４は、患者の注目を引く形状であるならば、実在又は架空の人型、動物型、ないし、乗り物型であってもよい。なお、本実施例の装飾部１４は、動物型である。
また、装飾部１４は、耐熱性を有する樹脂で構成されており、具体的にはシリコーンゴムで構成されている。装飾部１４は、シリコーンゴムによってリング状取付部１２と一体的に形成されているため、伸縮自在に変形させることができる。
なお、装飾部１４は、本考案に係る被注目形状部材の一例である。
このように、医療用装飾物１は、リング状取付部１２と、装飾部１４とを含み構成されている。
【００１４】
次に、本実施例の医療用装飾物１の大きさを説明する。
図２に例示するように、医療用装飾物１の全長Ｌ寸法は、例えば４０ｍｍ〜４５ｍｍであり、本実施例の全長Ｌ寸法は４２ｍｍである。また、医療用装飾物１の幅Ｗ寸法は、例えば３５ｍｍ〜４０ｍｍであり、本実施例の幅Ｗ寸法は３８ｍｍである。また、医療用装飾物１の装飾部１４の厚みＴ寸法は、例えば２０ｍｍ〜２５ｍｍであり、本実施例の装飾部１４の厚みＴ寸法は２３ｍｍである。また、医療用装飾物１のリング状取付部１２のリング径Ｄ寸法は、例えば８ｍｍ〜１３ｍｍであり、本実施例のリング状取付部１２のリング径Ｄ寸法は１１ｍｍである。リング状取付部１２は、例えば１．５倍〜１．８倍の大きさのリング径となるよう引き延ばすことができ、本実施例のリング状取付部１２は、約１．６倍〜約１．７倍の大きさのリング径、具体的には１１ｍｍ〜１８ｍｍのリング径となるよう引き延ばすことができる。
本実施例の引き延ばす前のリング状取付部１２のリング径Ｄ寸法は１１ｍｍであるため、医療用装飾物１を取り付ける医療用器具の棒状部分の周囲の大きさが１１ｍｍ以下である場合、医療用装飾物１は使用中に医療用器具から外れるおそれがある。また、医療用装飾物１を取り付ける医療用器具の棒状部分の周囲の大きさが１８ｍｍ以上である場合、医療用装飾物１はリング状取付部１２を引き延ばした状態で固定するため、長期間使用すると劣化速度を速めるおそれがある。
また、医療用装飾物１の重さは、例えば７ｇ〜１３ｇであり、本実施例の医療用装飾物１は９ｇである。
【００１５】
次に、実施例１の医療用装飾物１の使用例を説明する。
図３は、実施例における医療用装飾物１の使用例を説明する斜視図ある。
図３に例示するように、使用者は、歯科口腔内治療に使用する医療用器具であるシリンジ、又は、バキュームの棒状部分の周囲に医療用装飾物１を取り付け固定する。具体的には、使用者は、医療用器具の棒状部分のうち、リング状取付部１２のリング径より大きい部分の周囲にリング状取付部１２を配置し固定する。リング状取付部１２は、伸縮自在であるため、メーカー毎に医療用器具の径が異なっても取り付けることができる。
使用者は、医療用装飾物１を取り付けた状態で、医療用器具を使用することにより、装飾部１４に患者を注目させて、患者の医療行為に対する恐怖心を和らげることが期待できる。特に、未就学児である患者に好適である。また、医療用装飾物１をシリコーンゴムの柔らかい樹脂で形成することにより、医療用器具の動きによって装飾部１４が微かに振動し患者を和ませることが期待できる。
【００１６】
以上説明したように、本実施形態における医療用装飾物１は、患者の注目を引く装飾部１４と、装飾部１４を医療用器具の棒状部材の周囲に取り付けるための取付部材であって、伸縮性を有する部材を形成されたリング状取付部１２とを含み構成されている。医療用装飾物１は、リング状取付部１２をリング形状を有し、リング径を伸縮自在に構成されている。これにより、医療用装飾物１は、メーカー毎に医療用器具の棒状部材の周囲径が異なっても取り付けることができる。
また、医療用装飾物１は、リング状取付部１２の外周面に装飾部１４が配置されていることにより、医療用器具の動きによって装飾部１４が微かに振動し、とくに未就学児の患者を和ませることが期待できる。
【００１７】
また、医療用装飾物１は、伸縮性があり、かつ、少なくとも１５０℃の耐熱性を有する樹脂であるシリコーン樹脂によって、リング状取付部１２及び装飾部１４を一体的に形成されている。医療用装飾物１は、シリコーン樹脂で一体的に形成することにより、接続部分をなくし衛生的な医療用装飾物とすることができ、かつ、耐熱性樹脂で一体成形することにより、医療用器具と一緒にオートクレーブにて滅菌処理することができる。
以上、本考案に係る実施形態について説明したが、これらに限定されるものではなく、考案の趣旨を逸脱しない範囲内において、種々の変更、追加等が可能である。
【符号の説明】
【００１８】
１        医療用装飾物
１２      リング状取付部
１４      装飾部
【図１】
0003204627.tif 000003
【図２】
0003204627.tif 000004
【図３】
0003204627.tif 000005